(57)【要約】【課題】鉄塔などの構造物の基礎の施工作業にかかわる作業者の負担を軽減すること。【解決手段】四角柱形状をなす基体と、基体の天面１００ａに設けられた突起１０４と、基体における天面１００ａに対向する地面から基体の内側に向かって突起１０４と嵌合可能な形状で凹んだ第１の凹部と、基体の側面１００ｃのうち少なくとも１つの側面１００ｃに設けられ、当該側面１００ｃから基体の外側に突出する凸部１０１と、基体の側面１００ｃのうち少なくとも別の側面１００ｃから基体の内側に向かって凸部１０１と嵌合可能な形状で凹んだ第２の凹部１０２と、を備えた構造物基礎建設用ブロック１００を構成した。【選択図】図１
2014169551.tif 000002
【特許請求の範囲】
【請求項１】
四角柱形状をなす基体と、
前記基体の天面に設けられた突起と、
前記基体における天面に対向する地面から前記基体の内側に向かって前記突起と嵌合可能な形状で凹んだ第１の凹部と、
前記基体の側面のうち少なくとも１つの側面に設けられ、当該側面から前記基体の外側に突出する凸部と、
前記基体の側面のうち少なくとも別の側面から前記基体の内側に向かって前記凸部と嵌合可能な形状で凹んだ第２の凹部と、
を備えたことを特徴とする構造物基礎建設用ブロック。
【請求項２】
前記天面から前記地面に向かって当該天面から凹んだ連結部材用の凹部を備えたことを特徴とする請求項１に記載の構造物基礎建設用ブロック。
【請求項３】
前記凸部と前記第２の凹部とは、一方の前記構造物基礎建設用ブロックにおける前記凸部と他方の前記構造物基礎建設用ブロックにおける前記第２の凹部とを嵌合させた状態において、各前記構造物基礎建設用ブロックを互いに離間する方向に付勢する外力に抗するよう楔形状をなすことを特徴とする請求項１または２に記載の構造物基礎建設用ブロック。
【請求項４】
前記突起は、一方の前記構造物基礎建設用ブロックにおける前記凸部を他方の前記構造物基礎建設用ブロックにおける前記第２の凹部に嵌合させた状態において、前記天面側に、一方の前記構造物基礎建設用ブロックにおける前記突起と他方の前記構造物基礎建設用ブロックにおける前記突起とによって別の前記構造物基礎建設用ブロックを支持する支持構造を形成することを特徴とする請求項１〜３のいずれか一つに記載の構造物基礎建設用ブロック。
【請求項５】
前記突起は、前記構造物基礎建設用ブロックと同形状の四角柱形状をなし、天面に当該天面から離間する方向に突出する鉄塔基礎部材を備えた鉄塔基礎材ブロックと嵌合可能とされていることを特徴とする請求項１〜４のいずれか一つに記載の構造物基礎建設用ブロック。
【請求項６】
前記支持構造は、前記構造物基礎建設用ブロックと同形状の四角柱形状をなし、天面に当該天面から離間する方向に突出する鉄塔基礎部材を備えた鉄塔基礎材ブロックを支持可能とされていることを特徴とする請求項１〜４のいずれか一つに記載の構造物基礎建設用ブロック。
【発明の詳細な説明】
【技術分野】
【０００１】
この発明は、鉄塔などの構造物の基礎に用いる構造物基礎建設用ブロックに関する。
【背景技術】
【０００２】
従来、鉄塔の基礎を施工する場合、たとえば、碇材（アンカー）を据付してから、コンクリート型枠を設置し、鉄筋を組み立てた後に、コンクリート型枠内にコンクリートを打設し、打設したコンクリートを養生した後にコンクリート型枠を解体するという作業をおこなっていた。
【０００３】
関連する従来の技術として、具体的には、たとえば、高さ調整具に係合する調整係合部と鉄塔の脚部下端を受ける鉄塔受部とを一体に有する基礎本体をプレキャスト製品として予め成形し、掘削穴の穴底上に高さを調整して該基礎本体を設置した後、該基礎本体の下部周囲の鉄筋および該鉄筋の周囲の型枠を組立て、該型枠内にコンクリートを打設して基礎固定体を形成することによって、場所打ちを減らし、工期を短縮し、コストを下げるようにした技術があった（たとえば、下記特許文献１を参照。）。
【０００４】
また、関連する従来の技術として、具体的には、たとえば、隣接するコンクリートブロックに嵌合する突起または溝を有し、基礎体を構築した時にブロック群を一体化する鉄筋を貫通可能となる形状のコンクリートブロックを積み上げて組み立て、基礎体内部に空隙部を有する円筒状の基礎構造を構築するようにした技術があった（たとえば、下記特許文献２を参照。）。
【０００５】
また、関連する従来の技術として、具体的には、たとえば、鉄塔等の深基礎の施工に際して、地中に竪穴を掘削形成し、掘削された土砂を固化材により固化させることによって土砂ブロックを成型するとともに竪穴内に配筋を形成してから底部コンクリート層を打設し、その後、配筋の内部に土砂ブロックを積み重ねるとともに下部コンクリート層を打設し、当該下部コンクリート層の上に鉄塔の柱脚を着座させた状態で上部コンクリート層を打設することによって柱脚を固定するようにした技術があった（たとえば、下記特許文献３を参照。）。
【先行技術文献】
【特許文献】
【０００６】
【特許文献１】特開平１０−１４０５８６号公報
【特許文献２】特開平６−３１６９４２号公報
【特許文献３】特開平１０−２３１５２７号公報
【発明の概要】
【発明が解決しようとする課題】
【０００７】
しかしながら、上述した従来の技術は、鉄塔の基礎を施工する際の施工手順が多く、煩わしいという問題があった。また、上述した従来の技術は、鉄塔の基礎を施工する際の施工手順が多いために施工期間が長くなるという問題があった。
【０００８】
具体的には、上述した従来の技術は、鉄塔を建設する現場においてコンクリートを打設するために、現場において、碇材（アンカー）を据付、コンクリート型枠を設置し、鉄筋を組み立て、コンクリート型枠内にコンクリートを打設し、打設したコンクリートを養生した後にコンクリート型枠を解体するという作業をおこなわなくてはならず、施工作業にかかわる作業者の負担が大きいという問題があった。
【０００９】
また、上述した従来の技術は、鉄塔の基礎を施工する際の施工手順が多く、品質を確保するための確認項目が多いために、施工作業にかかわる作業者の負担が大きいという問題があった。
【００１０】
また、上述した特許文献１、特許文献２および特許文献３などに記載された従来の技術は、施工現場においてコンクリートを打設しなくてはならず、施工期間が長くなるという問題があった。また、従来の技術は、打設したコンクリートが完全に固まる（結合する）まで当該コンクリートを管理しなければならず、煩わしいという問題があった。
【００１１】
この発明は、上述した従来技術による問題点を解消するため、鉄塔などの構造物の基礎の施工作業にかかわる作業者の負担を軽減することができる構造物基礎建設用ブロックを提供することを目的とする。
【課題を解決するための手段】
【００１２】
上述した課題を解決し、目的を達成するため、この発明にかかる構造物基礎建設用ブロックは、四角柱形状をなす基体と、前記基体の天面に設けられた突起と、前記基体における天面に対向する地面から前記基体の内側に向かって前記突起と嵌合可能な形状で凹んだ第１の凹部と、前記基体の側面のうち少なくとも１つの側面に設けられ、当該側面から前記基体の外側に突出する凸部と、前記基体の側面のうち少なくとも別の側面から前記基体の内側に向かって前記凸部と嵌合可能な形状で凹んだ第２の凹部と、を備えたことを特徴とする。
【００１３】
また、この発明にかかる構造物基礎建設用ブロックは、上記の発明において、前記天面から前記地面に向かって当該天面から凹んだ連結部材用の凹部を備えたことを特徴とする。
【００１４】
また、この発明にかかる構造物基礎建設用ブロックは、上記の発明において、前記凸部と前記第２の凹部とが、一方の前記構造物基礎建設用ブロックにおける前記凸部と他方の前記構造物基礎建設用ブロックにおける前記第２の凹部とを嵌合させた状態において、各前記構造物基礎建設用ブロックを互いに離間する方向に付勢する外力に抗するよう楔形状をなすことを特徴とする。
【００１５】
また、この発明にかかる構造物基礎建設用ブロックは、上記の発明において、前記突起が、一方の前記構造物基礎建設用ブロックにおける前記凸部を他方の前記構造物基礎建設用ブロックにおける前記第２の凹部に嵌合させた状態において、前記天面側に、一方の前記構造物基礎建設用ブロックにおける前記突起と他方の前記構造物基礎建設用ブロックにおける前記突起とによって別の前記構造物基礎建設用ブロックを支持する支持構造を形成することを特徴とする。
【００１６】
また、この発明にかかる構造物基礎建設用ブロックは、上記の発明において、前記突起が、前記構造物基礎建設用ブロックと同形状の四角柱形状をなし、天面に当該天面から離間する方向に突出する鉄塔基礎部材を備えた鉄塔基礎材ブロックと嵌合可能とされていることを特徴とする。
【００１７】
また、この発明にかかる構造物基礎建設用ブロックは、上記の発明において、前記支持構造が、前記構造物基礎建設用ブロックと同形状の四角柱形状をなし、天面に当該天面から離間する方向に突出する鉄塔基礎部材を備えた鉄塔基礎材ブロックを支持可能とされていることを特徴とする。
【発明の効果】
【００１８】
この発明にかかる構造物基礎建設用ブロックによれば、鉄塔などの構造物の基礎の施工作業にかかわる作業者の負担を軽減することができるという効果を奏する。
【図面の簡単な説明】
【００１９】
【図１】この発明にかかる実施の形態の鉄塔用ブロック形基礎の構成を示す説明図（その１）である。
【図２】この発明にかかる実施の形態の鉄塔用ブロック形基礎の構成を示す説明図（その２）である。
【図３】この発明にかかる実施の形態の鉄塔用ブロック形基礎の構成を示す説明図（その３）である。
【図４】支持構造を示す説明図である。
【図５】この発明にかかる実施の形態の鉄塔用ブロック形基礎を用いた、鉄塔基礎の組み立て方法を示す説明図（その１）である。
【図６】この発明にかかる実施の形態の鉄塔用ブロック形基礎を用いた、鉄塔基礎の組み立て方法を示す説明図（その２）である。
【図７】この発明にかかる実施の形態の鉄塔用ブロック形基礎を用いた、鉄塔基礎の組み立て方法を示す説明図（その３）である。
【図８】この発明にかかる実施の形態の鉄塔用ブロック形基礎を用いた、鉄塔基礎の組み立て方法を示す説明図（その４）である。
【図９】この発明にかかる実施の形態の鉄塔用ブロック形基礎を用いた、鉄塔基礎の組み立て方法を示す説明図（その５）である。
【発明を実施するための形態】
【００２０】
以下に添付図面を参照して、この発明にかかる構造物基礎建設用ブロックの好適な実施の形態を詳細に説明する。
【００２１】
（鉄塔用ブロック形基礎の構成）
まず、この発明にかかる実施の形態の構造物基礎建設用ブロックを実現する鉄塔用ブロック形基礎の構成について説明する。図１、図２および図３は、この発明にかかる実施の形態の鉄塔用ブロック形基礎の構成を示す説明図である。
【００２２】
図１においては、この発明にかかる実施の形態の鉄塔用ブロック形基礎を、当該鉄塔用ブロック形基礎の使用時における斜め上方向から見た状態を示している。図２においては、この発明にかかる実施の形態の鉄塔用ブロック形基礎を、当該鉄塔用ブロック形基礎の使用時における上方（天面側）から見た状態を示している。図３においては、この発明にかかる実施の形態の鉄塔用ブロック形基礎を、当該鉄塔用ブロック形基礎の使用時における下方（地面側）から見た状態を示している。
【００２３】
図１において、この発明にかかる実施の形態の鉄塔用ブロック形基礎（構造物基礎建設用ブロック）１００は、四角柱（直四角柱）形状をなす基体を備えている。鉄塔用ブロック形基礎１００の基体は、外形が長方形をなす６つの面で構成される六面体を基本とする形状であって、鉄塔用ブロック形基礎１００において隣接する面どうしは、直角に交差している。鉄塔用ブロック形基礎１００は、当該鉄塔用ブロック形基礎１００を構成する各面の外形が、すべて正方形をなしている立方体（正六面体）であることが好ましい。
【００２４】
鉄塔用ブロック形基礎１００における天面１００ａおよび地面１００ｂは、同一形状をなす。鉄塔用ブロック形基礎１００における天面１００ａと地面１００ｂとに挟まれる４つの側面１００ｃのうち、対向する面どうしは同一形状をなす。鉄塔用ブロック形基礎１００における天面１００ａと地面１００ｂとに挟まれる４つの側面１００ｃが、すべて同一形状であることが好ましい。
【００２５】
鉄塔用ブロック形基礎１００における天面１００ａと地面１００ｂとに挟まれる４つの側面１００ｃのうち、少なくとも１面には、外周方向に突出する凸部１０１が設けられている。また、鉄塔用ブロック形基礎１００における天面１００ａと地面１００ｂとに挟まれる４つの側面１００ｃのうち、少なくとも別の１面には、外周側から内側に凹んだ第２の凹部１０２が設けられている。
【００２６】
凸部１０１は、天面１００ａと地面１００ｂとの対向方向に沿って延出している。凸部１０１は、たとえば、当該凸部１０１を天面１００ａあるいは地面１００ｂに正対する方向から見た場合に、略台形形状をなし、当該台形における底辺（短辺）を側面１００ｃに一致させた状態となるように、当該側面１００ｃに設けられている。
【００２７】
これにより、凸部１０１は、当該凸部１０１が設けられた側面１００ｃに近い部分が、当該側面１００ｃから離間した部分よりも幅が狭くなるような形状をなす。また、これにより、凸部１０１は、当該凸部１０１が設けられた側面１００ｃから離間するほど、当該側面１００ｃに近い部分よりも拡開した形状をなす。すなわち、凸部１０１は、楔形状をなしている。
【００２８】
第２の凹部１０２は、天面１００ａと地面１００ｂとの対向方向に沿って延出している。第２の凹部１０２は、当該第２の凹部１０２を天面１００ａあるいは地面１００ｂに正対する方向から見た場合に、凸部１０１と略同一の形状をなし、当該凸部１０１と噛み合うことが可能な形状をなす。第２の凹部１０２は、当該第２の凹部１０２内に、凸部１０１を収容することができるように、凸部１０１の大きさと同等あるいは凸部１０１の大きさよりも若干小さい大きさとされている。第２の凹部１０２は、楔形状をなしている。
【００２９】
鉄塔用ブロック形基礎１００においては、たとえば、天面１００ａと地面１００ｂとに挟まれる４つの側面１００ｃのうち、２つの側面１００ｃに凸部１０１を設け、別の２つの側面１００ｃに第２の凹部１０２を設けることができる。この場合、鉄塔用ブロック形基礎１００における天面１００ａと地面１００ｂとに挟まれる４つの側面１００ｃのうち、凸部１０１が設けられている側面１００ｃと第２の凹部１０２が設けられている側面１００ｃとは、対向することが好ましい。
【００３０】
また、この場合、鉄塔用ブロック形基礎１００における天面１００ａと地面１００ｂとに挟まれる４つの側面１００ｃのうち、凸部１０１が設けられている側面１００ｃどうしを対向させ、第２の凹部１０２が設けられている側面１００ｃどうしを対向させるようにしてもよい。
【００３１】
鉄塔用ブロック形基礎１００における地面１００ｂには、第１の凹部３０１が設けられている。第１の凹部３０１は、一方の鉄塔用ブロック形基礎１００（１００Ａ）における天面１００ａと他方の鉄塔用ブロック形基礎１００（１００Ｂ）における地面１００ｂとを対向させて重ね合わせた場合に、一方の鉄塔用ブロック形基礎１００（１００Ａ）における天面１００ａに設けられた突起１０４が嵌り込む形状および大きさをなす。
【００３２】
鉄塔用ブロック形基礎１００における天面１００ａには、連結部材用の凹部としてのボルト挿入用の穴１０３が設けられている。ボルト挿入用の穴１０３は、天面１００ａから、当該天面１００ａから地面１００ｂに向かう方向に沿って凹んでいる。ボルト挿入用の穴１０３は、天面１００ａから地面１００ｂに貫通していてもよい。
【００３３】
複数の鉄塔用ブロック形基礎１００を組み合わせた状態においては、連結部材としてのＵ字ボルト（あるいはＵ字形状をなす棒状部材）が、隣り合う鉄塔用ブロック形基礎１００の双方におけるボルト挿入用の穴１０３に挿入される。これにより、隣り合う鉄塔用ブロック形基礎１００どうしの位置関係が固定され、隣り合う鉄塔用ブロック形基礎１００どうしの位置がずれることを防止できる。
【００３４】
鉄塔用ブロック形基礎１００における天面１００ａには、突起１０４が設けられている。突起１０４は、当該突起１０４を天面１００ａに正対する方向から見た場合に、略十字形状をなす。突起１０４は、互いに交差する２方向の突起１０４部分が、それぞれ、鉄塔用ブロック形基礎１００の側面１００ｃがなす平面に平行になるように設けられている。
【００３５】
突起１０４は、複数の鉄塔用ブロック形基礎１００を組み合わせた状態において、隣り合う鉄塔用ブロック形基礎１００どうしの位置が、天面１００ａの面方向においてずれることを防止できる形状であればよい。具体的には、突起１０４は、略十字形状に限らず、たとえば、長方体、直方体、多角柱形状、卍形状などであってもよい。
【００３６】
この実施の形態の鉄塔用ブロック形基礎１００において、複数（たとえば４つ）の鉄塔用ブロック形基礎１００を、当該鉄塔用ブロック形基礎１００の天面１００ａが略正方形をなすように配置した場合、各鉄塔用ブロック形基礎１００によって構成される構造体（図４における符号４１０を参照）の天面１００ａ側には、各鉄塔用ブロック形基礎１００の突起１０４によって支持構造（図４における符号４００を参照）が形成される。
【００３７】
図４は、支持構造を示す説明図である。図４において、支持構造４００は、構造体４１０の天面１００ａ側に配置される鉄塔用ブロック形基礎１００の地面１００ｂが嵌り込む形状をなす。具体的に、この発明にかかる実施の形態の支持構造４００は、凸部１０１と第２の凹部１０２とを嵌合することによって組み合わされる４つの鉄塔用ブロック形基礎１００の突起１０４（４つの突起１０４）によって構成される。支持構造４００は、嵌め込まれた鉄塔用ブロック形基礎１００の地面１００ｂ側を固定することによって、当該鉄塔用ブロック形基礎１００の水平方向における移動を防止する。
【００３８】
（鉄塔基礎の組み立て方法）
つぎに、この発明にかかる実施の形態の鉄塔用ブロック形基礎１００を用いた、鉄塔基礎の組み立て方法について説明する。図５、図６、図７、図８および図９は、この発明にかかる実施の形態の鉄塔用ブロック形基礎１００を用いた、鉄塔基礎の組み立て方法を示す説明図である。
【００３９】
鉄塔基礎の組み立て作業に際しては、鉄塔用ブロック形基礎１００を組み合わせることによって形成される鉄塔基礎の下端面が、鉄塔基礎に必要な面積となるまで、鉄塔用ブロック形基礎１００を水平方向に組み合わせる。
【００４０】
鉄塔用ブロック形基礎１００は、一方の鉄塔用ブロック形基礎１００（１００Ａ）における凸部１０１に、当該凸部１０１の上側から、鉛直方向に沿って、他方の鉄塔用ブロック形基礎１００（１００Ｂ）における第２の凹部１０２をスライドさせながら嵌合させることによって、水平方向に組み合わせることができる（図５を参照）。あるいは、鉄塔用ブロック形基礎１００は、一方の鉄塔用ブロック形基礎１００（１００Ａ）における第２の凹部１０２に、当該第２の凹部１０２の上側から、鉛直方向に沿って、他方の鉄塔用ブロック形基礎１００（１００Ｂ）における凸部１０１をスライドさせながら嵌合させる（図５とは逆方向）ことによって、水平方向に組み合わせることができる。
【００４１】
つぎに、水平方向に組み合わせた鉄塔用ブロック形基礎１００のうち、隣り合う鉄塔用ブロック形基礎１００に架け渡されるように、各鉄塔用ブロック形基礎１００におけるボルト挿入用の穴１０３にＵ字ボルト（あるいはＵ字形状をなす棒状部材）６０１を挿入する。これにより、水平方向において隣り合う鉄塔用ブロック形基礎１００どうしの位置がずれることを防止できる。
【００４２】
各鉄塔用ブロック形基礎１００におけるボルト挿入用の穴１０３にＵ字ボルト（あるいはＵ字形状をなす棒状部材）６０１を挿入することにより、水平方向に組み合わせた鉄塔用ブロック形基礎１００によって構成される構造物４０１に、水平方向における引張りやせん断に抵抗する抵抗力を付与し、構造物４０１を構成する鉄塔用ブロック形基礎１００どうしが、互いの位置がずれたり分離したりすることを防止できる。
【００４３】
Ｕ字ボルト（あるいはＵ字形状をなす棒状部材）６０１は、水平方向に組み合わせたすべての鉄塔用ブロック形基礎１００に挿入するものに限らない。Ｕ字ボルト（あるいはＵ字形状をなす棒状部材）６０１は、水平方向に組み合わせた鉄塔用ブロック形基礎１００のうち、少なくとも、もっとも外周部分に配置された鉄塔用ブロック形基礎１００に架け渡されるように挿入してもよい（図７を参照）。
【００４４】
これにより、水平方向に組み合わせたすべての鉄塔用ブロック形基礎１００にＵ字ボルト（あるいはＵ字形状をなす棒状部材）６０１を挿入する場合と比較して、使用するＵ字ボルト（あるいはＵ字形状をなす棒状部材）６０１の数を低減することができる。
【００４５】
つぎに、水平方向に組み合わせた鉄塔用ブロック形基礎１００が構成する構造体４１０の天面１００ａ側において、さらに、別の鉄塔用ブロック形基礎１００を水平方向に組み合わせる。これにより、水平方向に組み合わせた鉄塔用ブロック形基礎１００が構成する構造体４１０を、鉛直方向に沿って増やすことができる。具体的には、たとえば、下側の段をなす構造体４１０を構成する鉄塔用ブロック形基礎１００が備える突起１０４に、上側の段をなす構造体４１０を構成する鉄塔用ブロック形基礎１００が備える第１の凹部３０１を嵌め込むことによって、水平方向に組み合わせた鉄塔用ブロック形基礎１００が構成する構造体４１０を、鉛直方向に沿って増やすことができる（図８を参照）。
【００４６】
この実施の形態の鉄塔用ブロック形基礎１００は、略十字形状をなす突起１０４を備えているため、下側の段の天面１００ａ側には、下側の段をなす構造体４１０を構成する鉄塔用ブロック形基礎１００のうち、水平方向において天面１００ａが略正方形をなすように組み合わされた４つの鉄塔用ブロック形基礎１００によって、上記の支持構造４００が形成される。
【００４７】
これにより、上側の段をなす構造体４１０を構成する鉄塔用ブロック形基礎１００を、支持構造４００に嵌め込むことによって、上側の段をなす構造体４１０を構成する鉄塔用ブロック形基礎１００の地面１００ｂ側の四隅を固定することができる（図４を参照）。これによって、下側の段をなす構造体４１０と上側の段をなす構造体４１０とが水平方向においてずれることを防止できる。
【００４８】
そして、下側の段をなす構造体４１０を組み立てる場合と同様にして、上側の段をなす構造体４１０を構成する鉄塔用ブロック形基礎１００のうち、隣り合う鉄塔用ブロック形基礎１００に架け渡されるように、各鉄塔用ブロック形基礎１００におけるボルト挿入用の穴１０３にＵ字ボルト（あるいはＵ字形状をなす棒状部材）６０１を挿入する。これにより、上側の段をなす構造体４１０において、水平方向において隣り合う鉄塔用ブロック形基礎１００どうしの位置がずれることを防止できる。
【００４９】
このようにして、必要な高さとなるまで鉄塔用ブロック形基礎１００が構成する構造体４１０による段を重ねた後、最上段の構造体４１０を構成する鉄塔用ブロック形基礎１００の天面１００ａに、鉄塔基礎材ブロック９０１を設置する（図９を参照）。鉄塔基礎材ブロック９０１は、鉄塔用ブロック形基礎１００と同形状の四角柱形状をなしている。
【００５０】
鉄塔基礎材ブロック９０１の地面（図示を省略する）には、第１の凹部３０１と同様の凹部（図示を省略する）が設けられている。鉄塔基礎材ブロック９０１の地面に設けられた凹部は、鉄塔用ブロック形基礎１００における天面１００ａに、鉄塔基礎材ブロック９０１における地面１００ｂを対向させて重ね合わせた場合に、鉄塔用ブロック形基礎１００における天面１００ａに設けられた突起１０４が嵌り込む形状および大きさをなす。
【００５１】
鉄塔基礎材ブロック９０１は、天面９０１ａに、当該天面９０１ａから離間する方向に突出する鉄塔基礎部材９０２を備えている。鉄塔基礎部材９０２は、たとえば、Ｌ字鋼によって実現することができる。鉄塔基礎部材９０２をなすＬ字鋼は、ボルト穴が設けられていてもよい。これにより、鉄塔基礎部材９０２に、鉄塔を構成する部材を容易かつ確実に連結し、安定した鉄塔を建設することができる。鉄塔の建設に際しては、鉄塔を構成する部材（鋼材）を、鉄塔基礎部材９０２をなすＬ字鋼に溶接することによって連結してもよい。
【００５２】
鉄塔基礎材ブロック９０１は、鉄塔用ブロック形基礎１００と同形状の四角柱形状をなしているため、鉄塔基礎材ブロック９０１を、最上段をなす構造体４１０が形成する支持構造４００に嵌め込むことによって、鉄塔基礎材ブロック９０１の地面側の四隅を固定し、最上段をなす構造体４１０と鉄塔基礎材ブロック９０１とが水平方向においてずれることを防止できる。
【００５３】
以上説明したように、この発明にかかる実施の形態の構造物基礎建設用ブロックを実現する鉄塔用ブロック形基礎１００は、四角柱形状をなす基体と、基体の天面１００ａに設けられた突起１０４と、基体における天面１００ａに対向する地面１００ｂから基体の内側に向かって突起１０４と嵌合可能な形状で凹んだ第１の凹部３０１と、基体の側面１００ｃのうち少なくとも１つの側面１００ｃに設けられ、当該側面１００ｃから基体の外側に突出する凸部１０１と、基体の側面１００ｃのうち少なくとも別の側面１００ｃから基体の内側に向かって凸部１０１と嵌合可能な形状で凹んだ第２の凹部１０２と、を備えたことを特徴としている。
【００５４】
これにより、この発明にかかる実施の形態の鉄塔用ブロック形基礎１００を用いて基礎を施工することによって、現場におけるコンクリートの打設を不要とすることができる。これにより、鉄塔などの構造物の基礎の施工作業にかかわる作業者の負担を軽減することができる。
【００５５】
この発明にかかる実施の形態の鉄塔用ブロック形基礎１００によれば、凸部１０１と第２の凹部１０２とを嵌め合わせることによって一方向（たとえば水平方向）における鉄塔用ブロック形基礎１００どうしのずれを防止することができ、突起１０４と第１の凹部３０１とを嵌め合わせることによって前記一方向に直交する別の一方向（たとえば鉛直方向）における鉄塔用ブロック形基礎１００どうしのずれを防止することができる。これによって、簡易な作業によって、安定した基礎を組み立てることができるので、鉄塔などの構造物の基礎の施工作業にかかわる作業者の負担を軽減することができる。
【００５６】
また、この発明にかかる実施の形態の鉄塔用ブロック形基礎１００は、天面１００ａから地面１００ｂに向かって当該天面１００ａから凹んだ連結部材用の凹部を備えたことを特徴としている。
【００５７】
この発明にかかる実施の形態の鉄塔用ブロック形基礎１００によれば、連結部材としてのＵ字ボルト（あるいはＵ字形状をなす棒状部材）６０１を、隣り合う鉄塔用ブロック形基礎１００の双方におけるボルト挿入用の穴１０３に挿入することによって、隣り合う鉄塔用ブロック形基礎１００どうしの位置関係を固定し、隣り合う鉄塔用ブロック形基礎１００どうしの位置がずれることを防止できる。これによって、より安定した基礎を組み立てることができる。
【００５８】
また、この発明にかかる実施の形態の鉄塔用ブロック形基礎１００は、凸部１０１と第２の凹部１０２とが、一方の鉄塔用ブロック形基礎１００（１００Ａ）における凸部１０１と他方の鉄塔用ブロック形基礎１００（１００Ｂ）における第２の凹部１０２とを嵌合させた状態において、各鉄塔用ブロック形基礎１００を互いに離間する方向に付勢する外力に抗するよう楔形状をなすことを特徴としている。
【００５９】
この発明にかかる実施の形態の鉄塔用ブロック形基礎１００によれば、一方の鉄塔用ブロック形基礎１００（１００Ａ）と他方の鉄塔用ブロック形基礎１００（１００Ｂ）とが押し付け合う外力、および、各鉄塔用ブロック形基礎１００を互いに離間する方向に付勢する外力に抗する外力の双方に対する耐久性を高め、一方向（たとえば水平方向）において、鉄塔用ブロック形基礎１００どうしの位置がずれることを防止できる。これによって、より安定した基礎を組み立てることができる。
【００６０】
また、この発明にかかる実施の形態の鉄塔用ブロック形基礎１００は、突起１０４が、一方の鉄塔用ブロック形基礎１００（１００Ａ）における凸部１０１を他方の鉄塔用ブロック形基礎１００（１００Ｂ）における第２の凹部１０２に嵌合させた状態において、天面１００ａ側に、一方の鉄塔用ブロック形基礎１００（１００Ａ）における突起１０４と他方の鉄塔用ブロック形基礎１００（１００Ｂ）における突起１０４とによって別の鉄塔用ブロック形基礎１００を支持する支持構造４００を形成することを特徴としている。
【００６１】
この発明にかかる実施の形態の鉄塔用ブロック形基礎１００によれば、一方向（たとえば水平方向）に組み合わせた鉄塔用ブロック形基礎１００によって構成される段の天面１００ａ側に、さらに、別の鉄塔用ブロック形基礎１００を水平方向に組み合わせる場合に、下側の段を構成する各鉄塔用ブロック形基礎１００に上側の段を構成する鉄塔用ブロック形基礎１００を合わせて重ね合わせることなく、別の鉄塔用ブロック形基礎１００を組み合わせることができる。
【００６２】
これにより、この発明にかかる実施の形態の鉄塔用ブロック形基礎１００によれば、当該鉄塔用ブロック形基礎１００を用いた基礎の施工に際しての自由度を高めることができ、鉄塔用ブロック形基礎１００の汎用性を向上させることができる。これによって、具体的には、たとえば、上段ほど径が細くなるような（側面１００ｃが台形となるような）形状の基礎を構成することができる。
【００６３】
また、この発明にかかる実施の形態の鉄塔用ブロック形基礎１００は、突起１０４が、鉄塔用ブロック形基礎１００と同形状の四角柱形状をなし、天面１００ａに当該天面１００ａから離間する方向に突出する鉄塔基礎部材９０２を備えた鉄塔基礎材ブロック９０１と嵌合可能とされていることを特徴としている。
【００６４】
この発明にかかる実施の形態の鉄塔用ブロック形基礎１００によれば、最上段に設置された鉄塔用ブロック形基礎１００の突起１０４に、鉄塔基礎材ブロック９０１を嵌め合わせることによって、安定した鉄塔の基礎を容易に組み立てることができる。これにより、この発明にかかる実施の形態の鉄塔用ブロック形基礎１００によれば、鉄塔の基礎の施工作業にかかわる作業者の負担を軽減することができる。
【００６５】
また、この発明にかかる実施の形態の鉄塔用ブロック形基礎１００は、支持構造４００が、鉄塔用ブロック形基礎１００と同形状の四角柱形状をなし、天面１００ａに当該天面１００ａから離間する方向に突出する鉄塔基礎部材９０２を備えた鉄塔基礎材ブロック９０１を支持可能とされていることを特徴としている。
【００６６】
この発明にかかる実施の形態の鉄塔用ブロック形基礎１００によれば、最上段を構成する鉄塔用ブロック形基礎１００がなす支持構造４００に、鉄塔基礎材ブロック９０１を嵌め合わせることができるので、鉄塔の基礎の施工にかかる自由度を向上させることができる。
【産業上の利用可能性】
【００６７】
以上のように、この発明にかかる構造物基礎建設用ブロックは、構造物の基礎に用いる構造物基礎建設用ブロックに有用であり、特に、鉄塔の基礎に用いる構造物基礎建設用ブロックに適している。
【符号の説明】
【００６８】
１００  鉄塔用ブロック形基礎
１００ａ  天面
１００ｂ  地面
１００ｃ  側面
１０１  凸部
１０２  第２の凹部
１０３  ボルト挿入用の穴
１０４  突起
３０１  第１の凹部
４０１  構造物
【図１】
2014169551.tif 000003
【図２】
2014169551.tif 000004
【図３】
2014169551.tif 000005
【図４】
2014169551.tif 000006
【図５】
2014169551.tif 000007
【図６】
2014169551.tif 000008
【図７】
2014169551.tif 000009
【図８】
2014169551.tif 000010
【図９】
2014169551.tif 000011